(57)【要約】【課題】かつら用ストッパ及びかつらにおいて、かつら用ストッパの反転力を強める。【解決手段】かつら用ストッパ１は、並列配置された複数の櫛歯１１及びこの櫛歯１１と一体に設けられ櫛歯１１を支持する櫛歯支持部１２を含む櫛歯部材１０と、櫛歯１１との間で自毛を挟持する位置（Ｐ１）と自毛を開放する位置とに反転する本体部材（２０）と、を備え、櫛歯支持部１２は、本体部材２０と対向し、且つ、櫛歯１１の並列方向である櫛歯並列方向Ｄの中央に位置する中央部１２ａを挟んだ両側（一端部１２ｂ及び他端部１２ｃ）において本体部材２０の対向部分とは本体部材２０の反転時に独立して反転可能に配置されている。【選択図】図１
2014084542.tif 000002
【特許請求の範囲】
【請求項１】
並列配置された複数の櫛歯及び該櫛歯と一体に設けられ該櫛歯を支持する櫛歯支持部を含む櫛歯部材と、
前記櫛歯との間で自毛を挟持する位置と自毛を開放する位置とに反転する本体部材と、を備え、
前記櫛歯支持部は、前記本体部材と対向し、且つ、前記櫛歯の並列方向である櫛歯並列方向の中央に位置する中央部を挟んだ両側において前記本体部材の対向部分とは該本体部材の反転時に独立して反転可能に配置されている、
ことを特徴とするかつら用ストッパ。
【請求項２】
前記櫛歯支持部は、前記中央部において、前記本体部材に固定されていることを特徴とする請求項１記載のかつら用ストッパ。
【請求項３】
前記櫛歯支持部は、前記櫛歯並列方向の両端に設けられた突出部を有し、
前記突出部は、前記櫛歯並列方向における前記中央部とは遠ざかる方向で且つ前記本体部材側に斜めに突出し、且つ、前記本体部材に形成された係合孔に対し、反転時に進退自在に挿入される、
ことを特徴とする請求項１又は請求項２記載のかつら用ストッパ。
【請求項４】
前記本体部材は、前記櫛歯との間で自毛を挟持する第１の本体部と、該第１の本体部に連結され前記櫛歯支持部に対向する第２の本体部と、を含むことを特徴とする請求項１から請求項３のいずれか１項記載のかつら用ストッパ。
【請求項５】
前記櫛歯部材及び前記本体部材の材料は、合成樹脂であることを特徴とする請求項１から請求項４のいずれか１項記載のかつら用ストッパ。
【請求項６】
人工毛髪又は人毛が植設されたかつらベースと、
該かつらベースに取付けられる、請求項１から請求項５のいずれか１項記載のかつら用ストッパと、
を備えることを特徴とするかつら。
【発明の詳細な説明】
【技術分野】
【０００１】
本発明は、かつらを装着者の自毛に固定するのに用いられるかつら用ストッパ、及び、このかつら用ストッパを備えるかつらに関する。
【背景技術】
【０００２】
従来、かつらを装着する場合、ストッパによりかつらを装着者の自毛に固定する手法（例えば、特許文献１〜４参照）がとられている。このようなストッパにおいて、かつら装着者の自毛を挟持する位置と自毛を開放する位置とに反転するストッパが用いられている（例えば、特許文献１〜３参照）。
【０００３】
ストッパの材料としては、金属材料が用いられることが多い（例えば、特許文献１及び２参照）。この特許文献１及び２記載のストッパは、本体部と、この本体部に固定され櫛歯を支持する櫛歯支持部とが反転する。
【０００４】
ただし、金属材料は、重い、硬いなどの性質を有するという問題、かつら装着者が金属アレルギーの場合には使用できないという問題、空港等の金属探知機に反応するおそれあるという問題、金属は少量取引が困難なため高コストになる傾向があるという問題などがある。
【０００５】
そこで、金属以外の材料を用いたストッパも提案されている（例えば、特許文献３及び４参照）。
【先行技術文献】
【特許文献】
【０００６】
【特許文献１】実開平０６−３０１２１号公報
【特許文献２】特開昭５８−１７４６０６号公報
【特許文献３】特開２０１１−１４９１１０号公報
【特許文献４】特開２０１１−２６７３７号公報
【発明の概要】
【発明が解決しようとする課題】
【０００７】
ところで、特許文献１及び２記載のかつら用ストッパのように、櫛歯支持部が櫛歯並列方向の両端において本体部に固定されると、櫛歯支持部と本体部とは反転時に一体に移動する。そのため、例えば、櫛歯支持部が元に戻ろうとする力が本体部に伝わり本体部の反転力を損なうことで、ひいてはかつら用ストッパ全体の反転力が損なわれる。
【０００８】
このように反転力を損なうという問題は、金属以外の材料を用いた場合も金属材料を用いた場合も同様に生じる。
【０００９】
１つの側面では、本発明の目的は、かつら用ストッパの反転力を強めることができるかつら用ストッパ及びかつらを提供することである。
【課題を解決するための手段】
【００１０】
本発明のかつら用ストッパは、並列配置された複数の櫛歯及びこの櫛歯と一体に設けられこの櫛歯を支持する櫛歯支持部を含む櫛歯部材と、上記櫛歯との間で自毛を挟持する位置と自毛を開放する位置とに反転する本体部材と、を備え、上記櫛歯支持部は、上記本体部材と対向し、且つ、上記櫛歯の並列方向である櫛歯並列方向の中央に位置する中央部を挟んだ両側において上記本体部材の対向部分とはこの本体部材の反転時に独立して反転可能に配置されている。
【００１１】
また、上記かつら用ストッパにおいて、上記櫛歯支持部は、上記中央部において、上記本体部材に固定されている構成としてもよい。
【００１２】
また、上記かつら用ストッパにおいて、上記櫛歯支持部は、上記櫛歯並列方向の両端に設けられた突出部を有し、上記突出部は、上記櫛歯並列方向における上記中央部とは遠ざかる方向で且つ上記本体部材側に斜めに突出し、且つ、上記本体部材に形成された係合孔に対し、反転時に進退自在に挿入される構成としてもよい。
【００１３】
また、上記かつら用ストッパにおいて、上記本体部材は、上記櫛歯との間で自毛を挟持する第１の本体部と、この第１の本体部に連結され上記櫛歯支持部に対向する第２の本体部と、を含む構成としてもよい。
【００１４】
また、上記かつら用ストッパにおいて、上記櫛歯部材及び上記本体部材の材料は、合成樹脂である構成としてもよい。
【００１５】
本発明のかつらは、人工毛髪又は人毛が植設されたかつらベースと、このかつらベースに取付けられる、請求項１から請求項５のいずれか１項記載のかつら用ストッパと、を備える。
【発明の効果】
【００１６】
本発明によれば、かつら用ストッパの反転力を強めることができる。
【図面の簡単な説明】
【００１７】
【図１】本発明の一実施の形態に係るかつら用ストッパの挟持状態を示す斜視図（その１）である。
【図２】本発明の一実施の形態に係るかつら用ストッパの開放状態を示す斜視図である。
【図３】本発明の一実施の形態に係るかつら用ストッパの挟持状態を示す斜視図である。
【図４】本発明の一実施の形態に係るかつらを示す底面図である。
【図５Ａ】本発明の一実施の形態に係るかつら用ストッパの反転状態を示す説明図（その１）である。
【図５Ｂ】本発明の一実施の形態に係るかつら用ストッパの反転状態を示す説明図（その２）である。
【図６Ａ】比較例に係るかつら用ストッパの反転状態を示す説明図（その１）である。
【図６Ｂ】比較例に係るかつら用ストッパの反転状態を示す説明図（その２）である。
【発明を実施するための形態】
【００１８】
以下、本発明の実施の形態に係るかつら用ストッパ及びかつらについて、図面を参照しながら説明する。
【００１９】
図１〜図３は、本発明の一実施の形態に係るかつら用ストッパ１を示す斜視図である。
【００２０】
かつら用ストッパ１は、櫛歯部材１０と、本体部材２０とを備える。
【００２１】
櫛歯部材１０は、櫛歯並列方向Ｄに並列配置された７本（複数の一例）の櫛歯１１、及び、この櫛歯１１と一体に設けられ櫛歯１１を支持する櫛歯支持部１２を含む。
【００２２】
櫛歯１１は、長手方向（並列方向Ｄと直交する方向）の一端において櫛歯支持部１２に支持され、櫛歯支持部１２と一体に設けられている。
【００２３】
櫛歯支持部１２は、本体部材２０と対向し、櫛歯１１の櫛歯並列方向Ｄに長手方向を有する板状を呈する。詳しくは後述するが、櫛歯支持部１２は、本体部材２０と共に凹状と凸状とに反転する。櫛歯支持部１２及び本体部材２０の反転位置は、本体部材２０が櫛歯１１との間でかつら装着者の自毛を挟持する位置（図１及び図３に示す位置Ｐ１）と、自毛を開放する位置（図２に示す位置Ｐ２）とである。
【００２４】
櫛歯支持部１２は、櫛歯並列方向Ｄにおいて、中央に位置する中央部１２ａと、この中央部１２ａを挟んで位置する一端部１２ｂ及び他端部１２ｃとを含む。これらの中央部１２ａ、一端部１２ｂ、及び他端部１２ｃは、それぞれ櫛歯並列方向Ｄにおいて、３等分した領域であるものとする。なお、櫛歯支持部１２の櫛歯並列方向Ｄの長さは、本体部材２０よりも短い。
【００２５】
櫛歯支持部１２は、中央部１２ａ、一端部１２ｂ、及び他端部１２ｃのうち中央部１２ａのみにおいて、櫛歯部材連結部３１により本体部材２０の第２の本体部２２に対し固定されている。この櫛歯部材連結部３１は、例えば、ポリエーテルエーテルケトン（PEEK）、ジュラコン（ＰＯＭ／ポリアセタール）等の硬化性樹脂や、金属の締結具などである。
【００２６】
本体部材２０は、櫛歯１１との間で自毛を挟持する第１の本体部２１と、この第１の本体部２１に連結され櫛歯支持部１２に対向する第２の本体部２２と、を含む。第１の本体部２１及び第２の本体部２２は、開口部が互いに対向するＵ字板状を呈し、４隅の本体間連結部３２，３３，３４，３５において、本体部材２０がバネ性を得て反転するように、例えば第１の本体部２１の第２の本体部２２に対する連結部分を互いに引き寄せた状態で固定されている。
【００２７】
本体間連結部３２〜３５は、櫛歯部材連結部３１の材料と同様に、例えば、硬化性樹脂や、金属の締結具などである。
【００２８】
櫛歯支持部１２の一端部１２ｂ及び他端部１２ｃは、本体部材２０に固定されていないため、本体部材２０の第２の本体部２２の対向部分とは本体部材２０の反転時に独立して反転可能である。
【００２９】
櫛歯支持部１２は、櫛歯並列方向Ｆの両端に設けられた突出部１２ｄ，１２ｅを有する。これらの突出部１２ｄ，１２ｅは、櫛歯並列方向Ｄにおける中央部１２ａとは遠ざかる方向で且つ本体部材２０側に斜めに突出する。また、突出部１２ｄ，１２ｅは、本体部材２０の第２の本体部２２に形成された係合孔２２ａ，２２ｂに対し挿入されており、反転時に進退自在となっている。
【００３０】
なお、第２の本体部２２が櫛歯１１との間で自毛を挟持する位置（図１及び図３に示す位置Ｐ１）にあるとき、櫛歯１１は、第２の本体部２２との間の挟持面１１ａを増やすために、図３に示すように、凸状の曲面となっていることが望ましい。
【００３１】
また、櫛歯１１は、櫛歯支持部１２とは遠ざかる方向に第１の本体部２１から突出し、より好ましくは突出量が大きいほど、自毛を櫛歯１１と第２の本体部２２との間に引き入れやすくすることができる。更には、櫛歯１１は、櫛歯支持部１２による固定端から自由端に近づくほど、第１の本体部２１から離れる方向へ膨らむように湾曲し、途中から櫛歯支持部１２と同一平面状に戻るように湾曲し、全体としてアーチ形状を呈する。
【００３２】
櫛歯部材１０及び本体部材２０の材料は、合成樹脂であり、一例としては、ポリアミドイミド（PAI）、ポリエーテルエーテルケトン（PEEK）ポリフェニレンサルファイド（PPS）、ポリイミド（PI）、ポリフタルアミド（PPA）、ポリサルファン（PSF）、ポリアリレート（PAR）、ポリエーテルサルフォン（PES）、ポリエーテルイミド（PEI）、ポリフェニルサルフォン（PPSU）、ポリアミド（PA）、ポリアセタール（POM）、ポリカーボネート（PC）、ポリブチレンテレフタレート（PBT）、ポリフェニレンエーテル（PPE）、ポリエチレンテレフタレート（PET）、ポリエチレン（PE）、ポリスチレン（PS）、ポリプロピレン（PP）、ABS樹脂、塩化ビニル樹脂（PVC）、メタクリル樹脂（PMMA）等が挙げられる。特に望ましい材料は、ポリアミドイミド（PAI）であるが、材料は特に限定されない。
【００３３】
なお、櫛歯部材１０及び本体部材２０の材料は、合成樹脂でないものを採用することができ、例えば、ステンレス、チタン等の金属を用いてもよい。
【００３４】
上述のかつら用ストッパ１は、図４に示すように人工毛髪（又は人毛）１０２を植設されたかつらベース１０１を備えるかつら１００において、かつらベース１０１の底面に例えば前後左右の４つ取付けられる。なお、かつら用ストッパ１をかつらベース１０１に取り付ける数は、１つ以上であればいくつでもよい。
【００３５】
図５Ａ及び図５Ｂは、かつら用ストッパ１の反転状態を示す説明図である。
【００３６】
図６Ａ及び図６Ｂは、比較例に係るかつら用ストッパの反転状態を示す説明図である。
【００３７】
図５Ａ及び図５Ｂに示すように、本実施の形態に係るかつら用ストッパ１では、櫛歯部材１０（特に櫛歯支持部１２）と第２の本体部２２との挟持力（毛髪を挟んで押さえる力）は、本体部材２０のバネ力に依存する。そのため、本体部材２０で発生させたバネ力を、分散減少させずに櫛歯支持部１２へ伝える必要がある。
【００３８】
この点、本実施の形態では、櫛歯支持部１２は、一端部１２ｂ及び他端部１２ｃにおいて第２の本体部２２の対向部分とは本体部材２０の反転時に独立して反転可能に配置されている。そのため、櫛歯支持部１２及び本体部材２０が図５Ｂに示す開放位置（Ｐ２）から挟持位置（Ｐ１）へ反転すると、例えば、櫛歯支持部１２が元に戻ろうとする力が本体部材２０に伝わらず本体部材２０の反転力を損なわない。
【００３９】
よって、本実施の形態によれば、櫛歯支持部１２が本体部材２０の反転力を損なわず、かつら用ストッパ１の反転力が強くなる。
【００４０】
それに対し、図６Ａ及び図６Ｂに示すように、比較例に係るかつら用ストッパでは、櫛歯支持部１２−１が櫛歯並列方向の中央のみならず両端においても櫛歯部材連結部３１−１，３１−２，３１−３により第２の本体部２２−１に固定されている。そのため、櫛歯支持部１２−１及び本体部材２０−１が図６Ｂに示す開放位置（Ｐ２）から挟持位置（Ｐ１）へ反転すると、櫛歯支持部１２−１と第２の本体部２２−１とは反転時に一体に移動する。そのため、櫛歯支持部１２−１が第２の本体部２２−１の反転力を損なうことで、かつら用ストッパ１の反転力が弱まる。
【００４１】
また、本実施の形態では、櫛歯支持部１２は、中央部１２ａにおいて、本体部材２０に固定されている。そのため、櫛歯支持部１２が本体部材２０の反転力を損なうのをより一層抑えることができる。
【００４２】
また、本実施の形態では、櫛歯支持部１２は、櫛歯並列方向Ｄの両端に設けられた突出部１２ｄ，１２ｅを有し、これら突出部１２ｄ，１２ｅは、櫛歯並列方向Ｄにおける中央部１２ａとは遠ざかる方向で且つ本体部材２０側に斜めに突出し、且つ、本体部材２０に形成された係合孔２２ａ，２２ｂに対し、反転時に進退自在に挿入される。そのため、櫛歯支持部１２が本体部材２０の反転力を損なうのをより一層抑えることができる。
【００４３】
また、本実施の形態では、本体部材２０は、櫛歯１１との間で自毛を挟持する第１の本体部２１と、この第１の本体部２１に連結され櫛歯支持部１２に対向する第２の本体部２２と、を含む。そのため、２つの本体部２１，２２によって、本体部材２０の反転力を確実に発揮することができる。
【００４４】
また、本実施の形態では、櫛歯部材１０及び本体部材２０の材料を合成樹脂とした場合、金属材料を用いる問題、すなわち、重い、硬いなどの性質を有するという問題、かつら装着者が金属アレルギーの場合には使用できないという問題、空港等の金属探知機に反応するおそれあるという問題、金属は少量取引が困難なため高コストになる傾向があるという問題を解決しながら、かつら用ストッパ１の反転力を強くすることができる。
【００４５】
なお、本実施の形態では、本体部材２０は、本体間連結部３２〜３５により固定された第１の本体部２１及び第２の本体部２２を含むが、一枚板の部材により構成されていてもよい。その場合、公知の技術のように、例えば、本体部材は、略Ｕ字板状の開口部分である互いに離隔した部分が互いに引き寄せられた状態で連結部により連結されるようにすることで、バネ性を得ることができる。
【００４６】
また、本実施の形態では、櫛歯支持部１２は、中央部１２ａにおいて櫛歯部材連結部３１により本体部材２０に固定されている。しかし、櫛歯部材連結部３１を取り外した場合でも、櫛歯支持部１２は、突出部１２ｄ，１２ｅにおいて、本体部材２０の係合孔２２ａ，２２ｂに対して進退自在に挿入されているため、櫛歯部材１０と本体部材２０とが分離しない。そのため、櫛歯支持部１２と本体部材２０とを固定しなくともよい。
【符号の説明】
【００４７】
１        ：かつら用ストッパ
１０      ：櫛歯部材
１１      ：櫛歯
１１ａ    ：挟持面
１２      ：櫛歯支持部
１２ａ    ：中央部
１２ｂ    ：一端部
１２ｃ    ：他端部
１２ｄ    ：突出部
１２ｅ    ：突出部
２０      ：本体部材
２１      ：第１の本体部
２２      ：第２の本体部
２２ａ    ：係合孔
２２ｂ    ：係合孔
２２ｃ    ：取付用孔
２２ｄ    ：取付用孔
３１      ：櫛歯部材連結部
３２      ：本体間連結部
３３      ：本体間連結部
３４      ：本体間連結部
３５      ：本体間連結部
１０１    ：かつらベース
１０２    ：人毛
Ｄ        ：櫛歯並列方向
【図１】
2014084542.tif 000003
【図２】
2014084542.tif 000004
【図３】
2014084542.tif 000005
【図４】
2014084542.tif 000006
【図５Ａ】
2014084542.tif 000007
【図５Ｂ】
2014084542.tif 000008
【図６Ａ】
2014084542.tif 000009
【図６Ｂ】
2014084542.tif 000010